(57)【要約】【課題】入力部に加えられる信号の有無あるいは出力部と外部機器との接続の有無を検出し、その検出結果に連動して、入力部からの信号あるいは出力部への信号を処理する回路毎に電力供給を制御する電源スイッチ回路を提供する。【解決手段】電源スイッチ回路１０は、複数の入力端子１１，１２からの入力信号を処理する入力信号処理回路１７，１８と、複数の出力端子３０，３１への出力信号を処理する出力信号処理回路２０，２１と、入力信号検出回路／出力接続検出回路１５と、制御回路１４とを備える。制御回路１４は、入力信号検出回路１５での入力信号の有無に応じて入力信号処理回路１７，１８への電力供給を制御し、出力接続検出回路１５での外部の信号線との接続の有無に応じて出力信号処理回路２０，２１への電力供給を制御する。【選択図】図１
2007325029.tif 000002
【特許請求の範囲】
【請求項１】
複数の入力端子と、該入力端子からの入力信号を処理する入力信号処理回路とを備えた電源スイッチ回路において、
前記入力端子からの入力信号を検出する入力信号検出回路と、該入力信号検出回路で入力信号が検出されたかどうかを判定し、該判定結果に応じて前記入力信号処理回路への電力供給を制御する制御回路とを備えていることを特徴とする電源スイッチ回路。
【請求項２】
請求項１に記載の電源スイッチ回路において、
前記複数の入力端子は、映像信号を入力する映像入力端子と、音声信号を入力する音声入力端子とから構成されていることを特徴とする電源スイッチ回路。
【請求項３】
請求項１又は２に記載の電源スイッチ回路において、
アンテナと、該アンテナからの入力信号を受信するチューナ回路とを備え、
前記入力信号検出回路は、前記アンテナからの入力信号を検出し、前記制御回路は、前記入力信号検出回路で入力信号が検出されたかどうかを判定し、該判定結果に応じて前記チューナ回路への電力供給を制御することを特徴とする電源スイッチ回路。
【請求項４】
請求項１乃至３のいずれか１項に記載の電源スイッチ回路において、
複数の出力端子と、該出力端子への出力信号を処理する出力信号処理回路と、前記出力端子と外部の信号線との接続を検出する出力接続検出回路とを備え、
前記制御回路は、前記出力接続検出回路で前記外部の信号線との接続が検出されたかどうかを判定し、該判定結果に応じて前記出力信号処理回路への電力供給を制御することを特徴とする電源スイッチ回路。
【請求項５】
請求項４に記載の電源スイッチ回路において、
前記複数の出力端子は、映像信号を出力する映像出力端子と、音声信号を出力する音声出力端子とから構成されていることを特徴とする電源スイッチ回路。
【請求項６】
請求項１乃至５のいずれか１項に記載の電源スイッチ回路において、
外部スピーカ出力端子と、該外部スピーカ出力端子への音声出力信号を制御する音声出力信号制御回路と、前記外部スピーカ出力端子と外部スピーカとの接続を検出する音声出力接続検出回路とを備え、
前記制御回路は、前記音声出力接続検出回路で前記外部スピーカとの接続が検出されたかどうかを判定し、該判定結果に応じて前記音声出力信号制御回路への電力供給を制御することを特徴とする電源スイッチ回路。
【請求項７】
請求項６に記載の電源スイッチ回路において、
前記制御回路は、前記出力接続検出回路で前記外部の信号線との接続が検出され、且つ、前記音声出力接続検出回路で前記外部スピーカとの接続が検出された場合、前記音声出力信号制御回路への音量制御信号のレベルが最小かどうかを判定し、該判定の結果、前記音量制御信号のレベルが最小の場合、前記音声出力信号制御回路への電力供給を停止あるいは制限することを特徴とする電源スイッチ回路。
【請求項８】
複数の入力端子と、該入力端子からの入力信号を処理する入力信号処理回路と、アンテナと、該アンテナからの入力信号を受信するチューナ回路と、複数の出力端子と、該出力端子への出力信号を処理する出力信号処理回路と、外部スピーカ出力端子と、該外部スピーカ出力端子への音声出力信号を制御する音声出力信号制御回路とを備えた電源スイッチ回路において、
前記入力端子あるいは前記アンテナからの入力信号を検出する入力信号検出回路と、前記出力端子と外部の信号線との接続を検出する出力接続検出回路と、前記外部スピーカ出力端子と外部スピーカとの接続を検出する音声出力接続検出回路と、前記入力信号検出回路と前記出力接続検出回路と前記音声出力接続検出回路の検出状態を判定し、該判定結果に応じて前記入力信号処理回路と前記チューナ回路と前記出力信号処理回路と前記音声出力信号制御回路への電力供給を制御する制御回路とを備えていることを特徴とする電源スイッチ回路。
【請求項９】
請求項１乃至８のいずれか１項に記載の電源スイッチ回路を備えた表示装置。
【発明の詳細な説明】
【技術分野】
【０００１】
本発明は、電源スイッチ回路及び表示装置、より詳細には、入力部からの信号あるいは出力部への信号を処理する回路毎に電力供給を制御可能な電源スイッチ回路及び該回路を備えた表示装置に関する。
【背景技術】
【０００２】
最近のテレビジョン受像機などの表示装置は、多くの入出力端子を備え、様々な外部機器との接続を可能としている。通常、入力端子からの信号あるいは出力端子への信号を処理する回路は、使用状態にかかわらず常時電力が供給されている。
【０００３】
しかしながら、上記入出力端子は全てが同時に使用されているわけではなく、いずれか一部の端子だけが使用され、その他の端子は使用されていない場合が多い。従って、使用されていない端子からの信号あるいは端子への信号を処理する回路は、使われていないにもかかわらず電力を消費することになり、テレビジョン受像機の消費電力を大きくしていた。
【０００４】
図４は、従来の表示装置の要部構成を示すブロック図である。図中、表示装置は、映像入力端子１０１、音声入力端子１０２、アンテナ１０３、チューナ回路１０４、映像入力信号処理回路１０５、音声入力信号処理回路１０６、音声出力信号制御回路（音声アンプ）１０７、外部スピーカ出力端子１０８、外部スピーカ１０９、音量制御信号１１０、映像出力信号処理回路１１１、映像出力端子１１２、音声出力信号処理回路１１３、音声出力端子１１４、切換回路１１５，１１６、映像信号処理回路１１７、音声信号処理回路１１８、及び表示部１１９を備えて構成されている。
【０００５】
映像入力端子１０１は、図示しない外部機器から映像信号（ビデオ信号）を入力するための入力端子であって、この入力端子から入力された映像信号は映像入力信号処理回路１０５に入力される。映像入力信号処理回路１０５は、映像入力端子１０１からの映像入力信号に対して、所定の信号処理（ＹＣ分離、ＩＰ変換、ＡＤ変換など）を施して切換回路１１５へ出力する。
【０００６】
同様に、音声入力端子１０２は、外部機器から音声信号（オーディオ信号）を入力するための入力端子であって、この入力端子から入力された音声信号は音声入力信号処理回路１０６に入力される。音声入力信号処理回路１０６は、音声入力端子１０２からの音声入力信号に対して、所定の信号処理を施して切換回路１１６へ出力する。
【０００７】
チューナ回路１０４は、アンテナ１０３からの入力信号を受信するチューナであって、映像処理回路１０４ａと音声処理回路１０４ｂで構成される。映像処理回路１０４ａは、入力信号から映像信号を分離し、分離した映像信号を切換回路１１５へ出力する。一方、音声処理回路１０４ｂは、入力信号から音声信号を分離し、分離した音声信号を切換回路１１６へ出力する。
【０００８】
切換回路１１５は、チューナ回路１０４からの映像信号あるいは映像入力信号処理回路１０５からの映像信号のいずれか一方に切り換えて、切り換えた映像信号を映像信号処理回路１１７へ出力する。また、切換回路１１６は、チューナ回路１０４からの音声信号あるいは音声入力信号処理回路１０６からの音声信号のいずれか一方に切り換えて、切り換えた音声信号を音声信号処理回路１１８へ出力する。
【０００９】
映像信号処理回路１１７は、切換回路１１５からの映像信号が表示部１１９に出力可能なように信号処理（色信号変換、ＤＡ変換など）を施す。表示部１１９は、ＣＲＴやＬＣＤなどの表示手段であって、映像信号処理回路１１７で信号処理が施された映像信号を表示出力する。
【００１０】
音声信号処理回路１１８は、切換回路１１６からの音声信号が外部スピーカ１０９に出力可能なように信号処理を施して音声出力信号制御回路１０７に出力する。音声出力信号制御回路１０７は、外部スピーカ出力端子１０８と接続され、音声信号を増幅する機能と、音量制御信号１１０により音量を制御する機能とを備え、増幅・音量制御された音声信号を、外部スピーカ出力端子１０８を介して外部スピーカ１０９から出力する。
【００１１】
映像出力端子１１２及び音声出力端子１１４は、外部機器と接続するための出力端子であって、この出力端子から出力された映像信号及び音声信号は外部機器に入力される。この場合、映像信号処理回路１１７から出力された映像信号は、映像出力信号処理回路１１１に入力される。映像出力信号処理回路１１１は、映像信号処理回路１１７からの映像信号に所定の信号処理を施して映像出力端子１１２に出力する。
【００１２】
同様に、音声信号処理回路１１８から出力された音声信号は、音声出力信号処理回路１１３に入力される。音声出力信号処理回路１１３は、音声信号処理回路１１８からの音声信号に所定の信号処理を施して音声出力端子１１４に出力する。
【００１３】
上記のような従来構成において、電源Ｐは、チューナ回路１０４、映像入力信号処理回路１０５、音声入力信号処理回路１０６、音声出力信号制御回路１０７、映像出力信号処理回路１１１、音声出力信号処理回路１１３と接続され、これらの処理回路には入出力の状態にかかわらず常に電力が供給されている。このため、表示装置の消費電力を大きくしていた。
【００１４】
これに対して、例えば、特許文献１には、停止スイッチを押すことにより信号処理回路の供給電力を遮断できるようにした技術が開示されている。これは、ＶＴＲ（ビデオテープレコーダ）の録画を停止させるためのスイッチに連動して、ビデオカメラに含まれる各種の信号処理回路の供給電力を遮断して、消費電力を低減するものである。
【００１５】
また、特許文献２には、入力端子に加えられる信号の有無を検出し、検出結果に応じて電源制御手段を介して信号切換手段以後の回路の電源を投入（制御）するようにした技術が開示されている。
【特許文献１】実開昭５９−１２７３７０号公報
【特許文献２】特開昭６２−８４６６３号公報
【発明の開示】
【発明が解決しようとする課題】
【００１６】
しかしながら、上記特許文献１に記載の発明は、停止スイッチに連動させて信号処理回路の供給電力を遮断する構成であり、操作者が停止スイッチを押さない限り、信号処理回路へ電力が供給され続ける。また、停止スイッチで１つの信号処理回路への電力供給を遮断するだけで、複数の入力部を備えるのものではない。従って、複数の入力部からの信号の有無に応じて信号処理回路毎に電力供給を制御することはできない。
【００１７】
また、上記特許文献２に記載の発明は、入力端子に加えられる信号の有無のみを検出しており、出力端子については考慮されていない。すなわち、出力端子と外部機器との接続の有無を検出し、該接続を検出したときに、信号処理回路への電力供給を制御することはできない。
【００１８】
このように、特許文献１及び特許文献２に記載の発明をはじめとする従来の技術は、入力部からの信号あるいは出力部への信号を処理する信号処理回路毎に電力供給を制御できるようにはなっていない。
【００１９】
本発明は、上述のごとき実情に鑑みてなされたものであり、入力部に加えられる信号の有無あるいは出力部と外部機器との接続の有無を検出し、その検出結果に連動して、入力部からの信号あるいは出力部への信号を処理する回路毎に電力供給を制御する電源スイッチ回路及び該回路を備えた表示装置を提供すること、を目的とする。
【課題を解決するための手段】
【００２０】
上記課題を解決するために、本発明の第１の技術手段は、複数の入力端子と、該入力端子からの入力信号を処理する入力信号処理回路とを備えた電源スイッチ回路において、前記入力端子からの入力信号を検出する入力信号検出回路と、該入力信号検出回路で入力信号が検出されたかどうかを判定し、該判定結果に応じて前記入力信号処理回路への電力供給を制御する制御回路とを備えていることを特徴としたものである。
【００２１】
第２の技術手段は、第１の技術手段において、前記複数の入力端子は、映像信号を入力する映像入力端子と、音声信号を入力する音声入力端子とから構成されていることを特徴としたものである。
【００２２】
第３の技術手段は、第１又は第２の技術手段において、アンテナと、該アンテナからの入力信号を受信するチューナ回路とを備え、前記入力信号検出回路は、前記アンテナからの入力信号を検出し、前記制御回路は、前記入力信号検出回路で入力信号が検出されたかどうかを判定し、該判定結果に応じて前記チューナ回路への電力供給を制御することを特徴としたものである。
【００２３】
第４の技術手段は、第１乃至第３のいずれか１の技術手段において、複数の出力端子と、該出力端子への出力信号を処理する出力信号処理回路と、前記出力端子と外部の信号線との接続を検出する出力接続検出回路とを備え、前記制御回路は、前記出力接続検出回路で前記外部の信号線との接続が検出されたかどうかを判定し、該判定結果に応じて前記出力信号処理回路への電力供給を制御することを特徴としたものである。
【００２４】
第５の技術手段は、第４の技術手段において、前記複数の出力端子は、映像信号を出力する映像出力端子と、音声信号を出力する音声出力端子とから構成されていることを特徴としたものである。
【００２５】
第６の技術手段は、第１乃至第５のいずれか１の技術手段において、外部スピーカ出力端子と、該外部スピーカ出力端子への音声出力信号を制御する音声出力信号制御回路と、前記外部スピーカ出力端子と外部スピーカとの接続を検出する音声出力接続検出回路とを備え、前記制御回路は、前記音声出力接続検出回路で前記外部スピーカとの接続が検出されたかどうかを判定し、該判定結果に応じて前記音声出力信号制御回路への電力供給を制御することを特徴としたものである。
【００２６】
第７の技術手段は、第６の技術手段において、前記制御回路は、前記出力接続検出回路で前記外部の信号線との接続が検出され、且つ、前記音声出力接続検出回路で前記外部スピーカとの接続が検出された場合、前記音声出力信号制御回路への音量制御信号のレベルが最小かどうかを判定し、該判定の結果、前記音量制御信号のレベルが最小の場合、前記音声出力信号制御回路への電力供給を停止あるいは制限することを特徴としたものである。
【００２７】
第８の技術手段は、複数の入力端子と、該入力端子からの入力信号を処理する入力信号処理回路と、アンテナと、該アンテナからの入力信号を受信するチューナ回路と、複数の出力端子と、該出力端子への出力信号を処理する出力信号処理回路と、外部スピーカ出力端子と、該外部スピーカ出力端子への音声出力信号を制御する音声出力信号制御回路とを備えた電源スイッチ回路において、前記入力端子あるいは前記アンテナからの入力信号を検出する入力信号検出回路と、前記出力端子と外部の信号線との接続を検出する出力接続検出回路と、前記外部スピーカ出力端子と外部スピーカとの接続を検出する音声出力接続検出回路と、前記入力信号検出回路と前記出力接続検出回路と前記音声出力接続検出回路の検出状態を判定し、該判定結果に応じて前記入力信号処理回路と前記チューナ回路と前記出力信号処理回路と前記音声出力信号制御回路への電力供給を制御する制御回路とを備えていることを特徴としたものである。
【００２８】
第９の技術手段は、第１乃至第８のいずれか１の技術手段における電源スイッチ回路を備えた表示装置である。
【発明の効果】
【００２９】
本発明によれば、入力部に加えられる信号の有無あるいは出力部と外部機器との接続の有無を検出し、その検出結果に連動して、入力部からの信号あるいは出力部への信号を処理する回路毎に電力供給を制御できるため、使用されていない回路への電力供給を停止あるいは制限して、消費電力の低減を図ることができる。
【発明を実施するための最良の形態】
【００３０】
以下、添付図面を参照しながら、本発明の電源スイッチ回路及び該回路を備えた表示装置の好適な実施の形態について説明する。なお、同じ機能を有する部分については同じ符号を付し、繰り返しの説明は省略するものとする。
【００３１】
図１は、本発明の一実施形態に係る電源スイッチ回路の要部構成例を示すブロック図である。図中、電源スイッチ回路１０は、映像入力端子１１、音声入力端子１２、アンテナ１３、制御回路１４、入力信号検出回路／出力接続検出回路１５、チューナ回路１６、映像入力信号処理回路１７、音声入力信号処理回路１８、音声出力信号制御回路（音声アンプ）１９、映像出力信号処理回路２０、音声出力信号処理回路２１、スイッチ２２，２３，２４，２５，２６，２７、音量制御信号２８、外部スピーカ出力端子２９、映像出力端子３０、音声出力端子３１、及び切換回路３２，３３を備えて構成される。
【００３２】
映像入力端子１１は、図示しない外部機器から映像信号（ビデオ信号）を入力するための入力端子であって、この入力端子から入力された映像信号は映像入力信号処理回路１７に入力される。映像入力信号処理回路１７は、映像入力端子１１からの映像入力信号に対して、所定の信号処理（ＹＣ分離、ＩＰ変換、ＡＤ変換など）を施して切換回路３２へ出力する。
【００３３】
同様に、音声入力端子１２は、外部機器から音声信号（オーディオ信号）を入力するための入力端子であって、この入力端子から入力された音声信号は音声入力信号処理回路１８に入力される。音声入力信号処理回路１８は、音声入力端子１２からの音声入力信号に対して、所定の信号処理を施して切換回路３３へ出力する。
【００３４】
チューナ回路１６は、アンテナ１３からの入力信号を受信するチューナであって、映像処理回路１６ａと音声処理回路１６ｂで構成される。映像処理回路１６ａは、入力信号から映像信号を分離し、分離した映像信号を切換回路３２へ出力する。一方、音声処理回路１６ｂは、入力信号から音声信号を分離し、分離した音声信号を切換回路３３へ出力する。
【００３５】
切換回路３２は、チューナ回路１６からの映像信号あるいは映像入力信号処理回路１７からの映像信号のいずれか一方に切り換えて、切り換えた映像信号を後段の映像信号処理回路へ出力する。また、切換回路３３は、チューナ回路１６からの音声信号あるいは音声入力信号処理回路１８からの音声信号のいずれか一方に切り換えて、切り換えた音声信号を後段の音声信号処理回路へ出力する。
【００３６】
音声出力信号制御回路１９は、外部スピーカ出力端子２９と接続され、音声信号を増幅する機能と、音量制御信号２８により音量を制御する機能とを備え、増幅・音量制御された音声信号を、外部スピーカ出力端子２９を介して後段の外部スピーカから出力する。
【００３７】
映像出力端子３０及び音声出力端子３１は、外部機器と接続するための出力端子であって、この出力端子から出力された映像信号及び音声信号は外部機器に入力される。この場合、図示しない映像信号処理回路から出力された映像信号は、映像出力信号処理回路２０に入力される。映像出力信号処理回路２０は、映像信号に所定の信号処理を施して映像出力端子３０に出力する。
【００３８】
同様に、図示しない音声信号処理回路から出力された音声信号は、音声出力信号処理回路２１に入力される。音声出力信号処理回路２１は、音声信号に所定の信号処理を施して音声出力端子３１に出力する。
【００３９】
ここで、入力信号検出回路／出力接続検出回路１５は、映像入力端子１１及び音声入力端子１２からの入力信号を検出する機能と、アンテナ１３からの入力信号を検出する機能と、映像出力端子３０及び音声出力端子３１と外部の信号線との接続を検出する機能と、外部スピーカ出力端子２９と外部スピーカ（図示せず）との接続を検出する機能とを備えている。なお、入力信号検出回路／出力接続検出回路１５は、上記機能のうち少なくとも１つ備えていればよく、全ての機能を備えていなくてもよい。
【００４０】
映像出力端子３０及び音声出力端子３１と外部の信号線との接続検出、あるいは外部スピーカ出力端子２９と外部スピーカとの接続検出の方法は、特に限定するものではないが、例えば、インピーダンスの変化を検出したり、機械的なセンサ（スイッチ）によって接続を検出するようにしてもよい。
【００４１】
制御回路１４は、入力信号検出回路／出力接続検出回路１５で映像入力端子１１と音声入力端子１２からの入力信号が検出されたかどうかを判定し、該判定の結果に応じてスイッチ２３，２４を制御する。すなわち、入力端子（映像入力端子１１，音声入力端子１２）からの入力信号が検出された場合、スイッチ２３，２４を制御して電源Ｐから映像入力信号処理回路１７及び音声入力信号処理回路１８への電力を供給し、また、入力信号が検出されない場合、スイッチ２３，２４を制御して電源Ｐから映像入力信号処理回路１７及び音声入力信号処理回路１８への電力供給を停止あるいは制限する。
【００４２】
また、制御回路１４は、入力信号検出回路／出力接続検出回路１５でアンテナ１３からの入力信号が検出されたかどうかを判定し、該判定の結果に応じてスイッチ２２を制御する。すなわち、アンテナ１３からの入力信号が検出された場合、スイッチ２２を制御して電源Ｐからチューナ回路１６（映像処理回路１６ａ及び音声処理回路１６ｂ）への電力を供給し、また、入力信号が検出されない場合、スイッチ２２を制御して電源Ｐからチューナ回路１６（映像処理回路１６ａ及び音声処理回路１６ｂ）への電力供給を停止あるいは制限する。
【００４３】
また、制御回路１４は、入力信号検出回路／出力接続検出回路１５で外部の信号線との接続が検出されたかどうかを判定し、該判定の結果に応じてスイッチ２６，２７を制御する。すなわち、外部の信号線との接続が検出された場合、スイッチ２６，２７を制御して電源Ｐから映像出力信号処理回路２０及び音声出力信号処理回路２１への電力を供給し、また、外部の信号線との接続が検出されない場合、スイッチ２６，２７を制御して電源Ｐから映像出力信号処理回路２０及び音声出力信号処理回路２１への電力供給を停止あるいは制限する。
【００４４】
また、制御回路１４は、入力信号検出回路／出力接続検出回路１５で外部スピーカとの接続が検出されたかどうかを判定し、該判定の結果に応じてスイッチ２５を制御する。すなわち、外部スピーカとの接続が検出された場合、スイッチ２５を制御して電源Ｐから音声出力信号制御回路１９への電力を供給し、また、外部スピーカとの接続が検出されない場合、スイッチ２５を制御して電源Ｐから音声出力信号制御回路１９への電力供給を停止あるいは制限する。
【００４５】
また、制御回路１４は、入力信号検出回路／出力接続検出回路１５で外部の信号線との接続が検出され、且つ、入力信号検出回路／出力接続検出回路１５で外部スピーカとの接続が検出された場合、音声出力信号制御回路１９への音量制御信号２８のレベルが最小かどうかを判定するようにしてもよい。そして、判定の結果、音量制御信号２８のレベルが最小の場合、外部スピーカは使用されていないものと考えられるため、スイッチ２５を制御して電源Ｐから音声出力信号制御回路１９への電力供給を停止あるいは制限する。
【００４６】
図１において、例えば、チューナ回路用のチューナ及び処理ＩＣとして、フィリップス社製の型番「ＴＤ１３１６ＡＦ」及び「ＴＤＡ９８８６」を、映像入力信号処理回路用のＩＣとして、ミツミ電機株式会社製の型番「ＭＭ１５０７ＸＮ」を、音声入力信号処理回路用のＩＣとして、テキサスインスツルメント社製の型番「ＣＤ４０５２ＢＰ」を、映像出力信号処理回路用のＩＣとして、ミツミ電機株式会社製の型番「ＭＭ１５０６ＸＮ」を、音声出力信号処理回路用のＩＣとして、ルネサス社製の型番「２ＳＡ１５３０ＡＲ」を、さらに、音声出力信号制御回路用のＩＣとして、フィリップス社製の型番「ＴＤＡ８９３１Ｔ」をそれぞれ用いた場合、本発明のように電力供給を制限することで、順に、時間あたり約１．３Ｗ（チューナ及び処理ＩＣ含む）、約０．３Ｗ、約０．１Ｗ、約０．２Ｗ、約０．０３Ｗ、約３．０Ｗ、の電力消費の低減が見込まれる。
【００４７】
ここで、総務省情報通信政策局放送政策課出典のデータによれば、テレビの平均視聴時間は４時間／日となるため、仮に上記チューナ回路、入力信号処理回路、出力信号処理回路、及び音声出力信号制御回路用の各ＩＣへの電力供給をそれぞれ制限したとすると、年間あたり、順に、約１８９８Ｗｈ，約５８４（４３８＋１４６）Ｗｈ、約３３５．８（２９２＋４３．８）Ｗｈ、約４３８０Ｗｈの低減が見込まれ、消費電力の低減に大きく寄与することができる。
【００４８】
上記消費電力は、一定の条件下で算出しているが、例えば、音声出力に外部スピーカを利用するように設定している場合、チューナ回路の使用時には、外部機器側の回路は使用されないため、入力信号処理回路及び出力信号処理回路への電力供給を停止あるいは制限するように制御される。また、入力信号処理回路（外部機器）の使用時には、チューナ側の回路は使用されないため、チューナ回路及び出力信号処理回路への電力供給を停止あるいは制限するように制御される。すなわち、チューナ入力モードと外部入力モードのいずれかのモードを選択したときに、チューナ回路及び入力信号処理回路のうち、使用していない回路への電力供給を停止あるいは制限するように制御され、このとき、出力端子に外部機器が接続されていなければ、出力信号処理回路への電力供給が停止あるいは制限される。
【００４９】
図２は、本発明に係る電源スイッチ回路１０を備えた表示装置の要部構成例を示すブロック図である。図中、３４は映像信号処理回路、３５は音声信号処理回路、３６は表示部、３７は外部スピーカ、４０は外部機器を示す。この外部機器４０は、例えば、ＨＤＤ／ＤＶＤレコーダ等の録画再生装置や、ゲーム機器などの外部接続可能な機器であって、映像入力端子１１及び音声入力端子１２を介して表示装置にビデオ信号を入力する。
【００５０】
図１において説明したように、映像入力端子１１あるいはアンテナ１３から入力された映像信号は切換回路３２へ入力され、いずれかの映像信号が映像信号処理回路３４に入力される。同様に、音声入力端子１２あるいはアンテナ１３から入力された音声信号は切換回路３３に入力され、いずれかの音声信号が音声信号処理回路３５に入力される。
【００５１】
映像信号処理回路３４は、切換回路３２からの映像信号が表示部３６に出力可能なように所定の信号処理（色信号変換、ＤＡ変換など）を施す。表示部３６は、ＣＲＴやＬＣＤなどの表示手段であって、映像信号処理回路３４で信号処理が施された映像信号を表示出力する。
【００５２】
一方、音声信号処理回路３５は、切換回路３３からの音声信号が外部スピーカ３７に出力可能なように信号処理を施して音声出力信号制御回路１９に出力する。音声出力信号制御回路１９は、外部スピーカ出力端子２９と接続され、音声信号を増幅する機能と、音量制御信号２８により音量を制御する機能とを備え、増幅・音量制御された音声信号を、外部スピーカ出力端子２９を介して外部スピーカ３７から出力する。
【００５３】
図３は、本発明に係る電源スイッチ回路１０による電源制御処理の一例を説明するためのフロー図である。本例は図２の構成に基づいて説明する。まず、電源スイッチ回路１０は、テレビ電源投入時から常時あるいは定期的に、入力信号検出回路／出力接続検出回路１５により映像入力端子１１、音声入力端子１２、アンテナ１３からの入力信号の有無を検出する（ステップＳ１）。
【００５４】
制御回路１４は、入力信号検出回路／出力接続検出回路１５において、映像入力端子１１と音声入力端子１２、あるいはアンテナ１３からの入力信号が検出されたかどうかを判定し（ステップＳ２）、いずれの入力信号も検出されない場合（ＮＯの場合）、映像入力信号処理回路１７、音声入力信号処理回路１８、及びチューナ回路１６を動作させるための電力を電源Ｐから供給しないようにスイッチ２２，２３，２４をオフする（ステップＳ３）。
【００５５】
また、ステップＳ２において、映像入力端子１１と音声入力端子１２（外部機器側）、あるいはアンテナ１３のいずれか一方あるいは両方からの入力信号が検出された場合（ＹＥＳの場合）、映像入力信号処理回路１７と音声入力信号処理回路１８、あるいはチューナ回路１６を動作させるための電力を電源Ｐから供給するために、スイッチ２３，２４、あるいはスイッチ２２をオンする（ステップＳ４）。ここで、映像入力端子１１及び音声入力端子１２（外部機器側）、あるいはアンテナ１３からの入力信号が両方検出された場合は、いずれか一方が選択され、選択されなかった入力信号の処理回路に対応するスイッチがオフされる。
【００５６】
次に、入力信号検出回路／出力接続検出回路１５は、映像出力端子３０及び音声出力端子３１と外部の信号線との接続を検出する（ステップＳ５）。制御回路１４は、入力信号検出回路／出力接続検出回路１５で外部の信号線との接続が検出されたかどうかを判定し（ステップＳ６）、外部の信号線との接続が検出された場合（ＹＥＳの場合）、映像出力信号処理回路２０及び音声出力信号処理回路２１を動作させるための電力を電源Ｐから供給するためにスイッチ２６，２７をオンする（ステップＳ７）。また、外部の信号線との接続が検出されない場合（ＮＯの場合）、映像出力信号処理回路２０及び音声出力信号処理回路２１を動作させるための電力を電源Ｐから供給しないようにスイッチ２６，２７をオフする（ステップＳ８）。
【００５７】
次に、入力信号検出回路／出力接続検出回路１５は、外部スピーカ出力端子２９と外部スピーカ３７との接続を検出する（ステップＳ９）。制御回路１４は、入力信号検出回路／出力接続検出回路１５で外部スピーカ３７との接続が検出されたかどうかを判定し（ステップＳ１０）、外部スピーカ３７との接続が検出された場合（ＹＥＳの場合）、音声出力信号制御回路１９を動作させるための電力を電源Ｐから供給するためにスイッチ２５をオンする（ステップＳ１１）。また、外部スピーカ３７との接続が検出されない場合（ＮＯの場合）、音声出力信号制御回路１９を動作させるための電力を電源Ｐから供給しないようにスイッチ２５をオフする（ステップＳ１２）。
【００５８】
次に、制御回路１４は、上記ステップＳ１１でスイッチ２５をオンにした場合、外部スピーカ３７への音量制御信号２８のレベルを確認し（ステップＳ１３）、音量レベルが最小かどうかを判定する（ステップＳ１４）。
【００５９】
制御回路１４は、上記ステップＳ１４において、音量レベルが最小と判定した場合（ＹＥＳの場合）、外部スピーカ３７は使用されないものとして、ステップＳ１２に移行してスイッチ２５をオフし、ステップＳ１に戻り処理を繰り返す。また、ステップＳ１４において、音量レベルが最小でないと判定した場合（ＮＯの場合）、外部スピーカ３７は使用されるものとして、スイッチ２５をオンしたまま、ステップＳ１に戻り処理を繰り返す。
【００６０】
以上説明したように、本発明によれば、入力部に加えられる信号の有無あるいは出力部と外部機器との接続の有無を検出し、その検出結果に連動して、入力部からの信号あるいは出力部への信号を処理する回路毎に電力供給を制御できるため、使用されていない回路への電力供給を停止あるいは制限して、消費電力の低減を図ることができる。
【図面の簡単な説明】
【００６１】
【図１】本発明の一実施形態に係る電源スイッチ回路の要部構成例を示すブロック図である。
【図２】本発明に係る電源スイッチ回路を備えた表示装置の要部構成例を示すブロック図である。
【図３】本発明に係る電源スイッチ回路による電源制御処理の一例を説明するためのフロー図である。
【図４】従来の表示装置の要部構成を示すブロック図である。
【符号の説明】
【００６２】
１０…電源スイッチ回路、１１，１０１…映像入力端子、１２，１０２…音声入力端子、１３，１０３…アンテナ、１４…制御回路、１５…入力信号検出回路／出力接続検出回路、１６，１０４…チューナ回路、１６ａ，１０４ａ…映像処理回路、１６ｂ，１０４ｂ…音声処理回路、１７，１０５…映像入力信号処理回路、１８，１０６…音声入力信号処理回路、１９，１０７…音声出力信号制御回路（音声アンプ）、２０，１１１…映像出力信号処理回路、２１，１１３…音声出力信号処理回路、２２，２３，２３，２４，２５，２６，２７…スイッチ、２８，１１０…音量制御信号、２９，１０８…外部スピーカ出力端子、３０，１１２…映像出力端子、３１，１１４…音声出力端子、３２，３３，１１５，１１６…切換回路、３４，１１７…映像信号処理回路、３５，１１８…音声信号処理回路、３６，１１９…表示部、３７，１０９…外部スピーカ、４０…外部機器。
【図１】
2007325029.tif 000003
【図２】
2007325029.tif 000004
【図３】
2007325029.tif 000005
【図４】
2007325029.tif 000006